(57)【要約】【課題】体格の大型化を抑制しつつ、液体による悪影響を抑制することが可能な電子制御装置を提供すること。【解決手段】防滴剤８０にて覆われた回路素子４１が実装された第１電子部品４０と、防滴剤８０にて覆われた回路素子５４が実装された第２電子部品５０と、第１電子部品４０及び第２電子部品５０が搭載されたベース１０と、ベース１０と接続されたカバー２０と、第１電子部品４０及び第２電子部品５０と外部とを電気的に接続するコネクタ３０と、ベース１０とカバー２０とコネクタ３０とによって形成された内部空間９０に浸入した液体を内部空間９０外に排出するものであり、ベース１０とコネクタ３０との間の空隙、第２電子部品５０の側壁とベース１０の側壁との間の空隙、第２電子部品５０の底面とベース１０の底面１６ａとの間の空隙が連通して形成される液体排出部６０とを備える。【選択図】図３
2008117977.tif 000002
【特許請求の範囲】
【請求項１】
防滴剤にて覆われた回路素子が実装された電子部品と、
前記電子部品が搭載されたベースと、
前記ベースと接続されたカバーと、
前記電子部品と外部とを電気的に接続するコネクタと、
前記ベースと前記カバーと前記コネクタとによって形成された前記電子部品を収納する内部空間に浸入した液体を当該内部空間外に排出する液体排出部と、
を備えることを特徴とする電子制御装置。
【請求項２】
前記ベースが前記カバーよりも地面方向になるように被取付体に対して取り付けられるものであって、
前記ベースは、側面の少なくとも一部に少なくとも当該ベースの底面位置まで開口した開口部を備え、前記液体排出部は、前記電子部品と前記ベースとの間の少なくとも一部に設けられた第１の空隙と、前記コネクタと前記ベースにおける前記開口部との間の少なくとも一部に設けられた前記第１の空隙に連通する第２の空隙とを含むことを特徴とする請求項１に記載の電子制御装置。
【請求項３】
前記電子部品は、プリント基板に回路素子が実装された第１電子部品と、前記第１電子部品と電気的に接続され、バスバーの凹部に回路素子が実装された第２電子部品とを含むことを特徴とする請求項１又は請求項２に記載の電子制御装置。
【請求項４】
前記ベースは、壁部によって第１の部屋と第２の部屋とに分割されるものであって、前記第１の部屋は、少なくとも前記第１電子部品が搭載されると共に、当該第１電子部品を覆うように前記防滴剤が充填されており、前記第２の部屋は、前記第１の空隙を介して前記第２電子部品が搭載され、前記第２電子部品における前記凹部は、前記防滴剤が充填されることを特徴とする請求項３に記載の電子制御装置。
【請求項５】
前記凹部は、前記バスバーに内蔵されるターミナルと、当該バスバーの凹部に実装される回路素子の端子とが電気的に接続される位置に対応する位置に貫通孔を備えることを特徴とする請求項３又は請求項４に記載の電子制御装置。
【請求項６】
前記第２電子部品は、前記バスバーにおける前記ベースと対向する面の前記貫通孔の周囲に環状突部を備え、前記ベースは、前記環状突部の厚みよりも浅い環状凹部を備えるものであって、前記第２電子部品は、前記環状突部を前記環状凹部に挿入した状態で前記ベースに搭載されることを特徴とする請求項５に記載の電子制御装置。
【請求項７】
前記電子部品は、放電灯の点消灯制御回路であることを特徴とする請求項１乃至請求項６のいずれか一項に記載の電子制御装置。
【発明の詳細な説明】
【技術分野】
【０００１】
本発明は、内部に浸入してきた液体による悪影響を抑制することが可能な電子制御装置に関するものである。
【背景技術】
【０００２】
従来、防水性を向上させる電子制御装置として特許文献１に示すものがあった。
【０００３】
特許文献１に示す電子制御装置は、箱体と蓋体とからなるケース体内に電子部品が実装された回路基板が収納されたものであり、箱体の開口部を蓋体で覆った時に、蓋体の縁部から箱体の内面側に突出するようなリブを一体に設けると共に、箱体の内部に樹脂を充填し、その樹脂がリブと接触するものである。
【０００４】
このようにすることによって、蓋体と箱体の接合部等に空隙が生じ、ここから液体が侵入しても、そのすぐ内側で蓋体のリブと箱体内の樹脂が接触しているので、ケース体内に収納された電子部品や回路基板にまで液体が浸入することを防止することができる。
【特許文献１】特開平１０−５１１５８号公報
【発明の開示】
【発明が解決しようとする課題】
【０００５】
しかしながら、特許文献１における電子制御装置は、液体が電子部品や回路基板にまで浸入することは防止できるものの、蓋体にリブを設ける必要があり電子制御装置の体格が大きくなるという問題があった。
【０００６】
本発明は、上記問題点に鑑みなされたものであり、体格の大型化を抑制しつつ、液体による悪影響を抑制することが可能な電子制御装置を提供することを目的とする。
【課題を解決するための手段】
【０００７】
上記目的を達成するために請求項１に記載の電子制御装置は、防滴剤にて覆われた回路素子が実装された電子部品と、電子部品が搭載されたベースと、ベースと接続されたカバーと、電子部品と外部とを電気的に接続するコネクタと、ベースとカバーとコネクタとによって形成された電子部品を収納する内部空間に浸入した液体を内部空間外に排出する液体排出部とを備えることを特徴とするものである。
【０００８】
このような電子制御装置の場合、例えば、ベースとカバーとの空隙などから内部空間に液体が浸入する可能性はあるものの、回路素子は防滴剤によって覆われているため、液体が浸入するのみでは悪影響が生じる可能性は少ない。ただし、その液体が内部空間内、特に防滴剤上で留まってしまうと、電子部品に悪影響をおよぼす可能性がある。
【０００９】
しかしながら、請求項１においては、内部空間に液体が浸入したとしても、液体排出部によって液体を内部空間外に排出することができ、内部空間に液体が留まることを抑制できる。したがって、液体の浸入を防止するためにカバー及びベースにリブを設ける必要はなく、電子制御装置の体格の大型化を抑制しつつ、液体による悪影響を抑制することができる。
【００１０】
また、請求項２に示す電子制御装置は、ベースがカバーよりも地面方向になるように被取付体に対して取り付けられるものであって、ベースは、側面の少なくとも一部に少なくともベースの底面位置まで開口した開口部を備え、液体排出部は、電子部品とベースとの間の少なくとも一部に設けられた第１の空隙と、コネクタとベースにおける開口部との間の少なくとも一部に設けられた第１の空隙に連通する第２の空隙とを含むようにしてもよい。
【００１１】
このようにすることによって、電子部品とベース、コネクタとベースにおける開口部との間の少なくとも一部に空隙を設けるだけで容易に液体排出部を設けることができる。
【００１２】
また、電子部品は、請求項３に示すように、プリント基板に回路素子が実装された第１電子部品と、第１電子部品と電気的に接続され、バスバーの凹部に回路素子が実装された第２電子部品とを含むようにしてもよい。
【００１３】
このように、電子部品がプリント基板に回路素子が実装された第１電子部品と、第１電子部品と電気的に接続され、バスバーの凹部に回路素子が実装された第２電子部品とに分割されたものにも適用することができる。
【００１４】
また、請求項４に示すように、ベースは、壁部によって第１の部屋と第２の部屋とに分割されるものであって、第１の部屋は、少なくとも第１電子部品が搭載されると共に、その第１電子部品を覆うように防滴剤が充填されており、第２の部屋は、第１の空隙を介して第２電子部品が搭載され、第２電子部品における凹部は、防滴剤が充填されるようにしてもよい。
【００１５】
このようにすることによって、必要な箇所だけに防滴剤を設けることができて好ましい。
【００１６】
また、請求項５に示すように、凹部は、バスバーに内蔵されるターミナルと、バスバーの凹部に実装される回路素子の端子とが電気的に接続される位置に対応する位置に貫通孔を備えるようにしてもよい。
【００１７】
このようにすることによって、バスバーに内蔵されるターミナルと凹部に実装された回路素子の端子とを電気的に接続しやすくすることができる。すなわち、バスバーに内蔵されるターミナルと凹部に実装された回路素子の端子とを貫通孔を利用して抵抗溶接することができる。
【００１８】
また、請求項６に示すように、第２電子部品は、バスバーにおけるベースと対向する面の貫通孔の周囲に環状突部を備え、ベースは、環状突部の厚みよりも浅い環状凹部を備えるものであって、第２電子部品は、環状突部を環状凹部に挿入した状態でベースに搭載されるようにしてもよい。
【００１９】
このようにすることによって、ベースと第２電子部品との間に第１の空隙を形成することができる。さらに、凹部に防滴剤を充填する際に、その防滴剤が第１の空隙に流れ出し、その第１の空隙を塞ぐことを抑制することができる。
【００２０】
また、電子部品は、請求項７に示すように、放電灯の点消灯制御回路に適用して好適なものである。
【発明を実施するための最良の形態】
【００２１】
以下、本発明の実施の形態を図に基づいて説明する。
【００２２】
図１は、本発明の実施の形態における電子制御装置（点消灯制御装置）の第１電子部品を搭載した状態の概略構成を示す平面図である。図２は、本発明の実施の形態における電子制御装置（点消灯制御装置）の第２電子部品を搭載した状態の概略構成を示す平面図である。図３は、本発明の実施の形態における電子制御装置（点消灯制御装置）の防滴剤を充填した状態の概略構成を示す平面図である。図４は、図３におけるIV−IV断面図である。図５は、図３におけるV−V断面図である。なお、図１乃至図３においては、図面をわかりやすくするためにカバー２０を省略して示している。また、本実施の形態における電子制御装置は、放電灯の点消灯制御装置に適用した例を用いて説明する。さらに、車両の前照灯などの点消灯制御装置に適用すると好適である。
【００２３】
点消灯制御装置は、図４などに示すように、放電灯を点消灯制御する所謂バラスト（以下、バラストとも称する）であり、ベース１０、カバー２０、及びコネクタ３０によって構成される内部空間９０内に第１電子部品４０と第２電子部品５０とが収容されている。
【００２４】
ベース１０は、金属材料からなり、図１などに示すように、壁部１３によって第１の部屋１１と第２の部屋１２とに分割された箱状部材である。このベース１０は、矩形状の底面１６ａの１辺に底面１６ａよりも凹んだ段差部１６ｂが形成されており、その底面１６ａの３辺に連続した側壁を有し、段差部１６ｂが形成される１辺に開口部１５が形成されている。この開口部１５は、後ほど説明するベース１０と第２電子部品５０との空隙（第１の空隙）に連通するベース１０とコネクタ３０との空隙（第２の空隙）であり、液体排出部６０の一部をなすものである。
【００２５】
また、ベース１０の周辺にはフランジが形成されており、そのフランジの３箇所にカバー２０をボルトで接続するためのネジ穴１４ａ〜１４ｃが形成されている。ベース１０及びカバー２０は、互いに接触する部位は平坦面であり、リブなどは形成されていない。したがって、ベース１０とカバー２０とは、ボルトによって固定されているのみである。
【００２６】
ベース１０の第１の部屋１１には、図１などに示すように、第１電子部品４０が接着材などを介して搭載される。また、第１の部屋１１には、この第１電子部品４０と端子７１によって電気的に接続されるトランス７０（図１ではトランス７０は未実装である）が実装されるものである。トランス７０は、ベース１０の底面１６ａと対向する面に突状部（図示省略）を備える。そして、図１に示すように、第１の部屋１１の底面１６ａには、トランス７０に形成された突状部に対応した形状の凹部１９が形成されている。そして、トランス７０は、突状部を第１の部屋１１の凹部１９に接着材などを介して挿入した状態で搭載される。
【００２７】
そして、この第１の部屋１１は、図３乃至図５に示すように、第１電子部品４０及びトランス７０が搭載された状態で防滴剤８０が充填される。この防滴剤８０は、図４などに示すように、第１の部屋１１が完全に満たされる程度、すなわち、ベース１０のフランジと略面一になる程度に充填するようにしてもよい。したがって、第１電子部品４０及びトランス７０は、防滴剤８０によって覆われた状態となる。また、防滴剤８０は、特に限定されるものではないが、シリコーンなどの防水性の樹脂であればよい。
【００２８】
なお、第１の部屋１１に搭載される第１電子部品４０は、特に限定されるものではないが、例えばセラミック基板や樹脂基板などからなるプリント基板４２にトランジスタや抵抗などの複数の回路素子４１が実装された制御回路基板であり、実際に放電灯の点消灯制御を実行するものである。また、プリント基板４２に実装される回路素子４１は、後ほど説明する第２電子部品５０に搭載される回路素子５４に比べて比較的小型の回路素子である。
【００２９】
一方、ベース１０の第２の部屋１２には、図２などに示すように、第２電子部品５０が接着材などを介して、液体排出部６０であるベース１０の側壁との間に空隙（第１の空隙）を有して搭載される。より具体的には、第２の部屋１２の底面１６ａには、環状凹部１８を備える。この環状凹部１８は、後ほど説明する第２電子部品５０のベース１０と対向する面に形成された環状突部５６に対応した形状をなすものである。そして、この環状凹部１８は、環状突部５６の厚みよりも浅く形成されるものである。
【００３０】
そして、第２電子部品５０は、環状突部５６を環状凹部１８に接着材などを介して挿入した状態で搭載される。また、第２の部屋１２には、第２電子部品５０をベース１０にボルトで固定するためのネジ穴１７が形成されている。第２電子部品５０は、接続部５５からボルトを挿入してボルトをネジ穴１７に螺入することによってベース１０に固定される。なお、第１電子部品４０と第２電子部品５０とは、図４などに示すように、リード４３とターミナル５７とによって電気的に接続される。
【００３１】
上述のように、環状凹部１８は環状突部５６の厚みよりも浅いため、環状突部５６を環状凹部１８に挿入した状態で第２電子部品５０をベース１０（第２の部屋１２）に搭載することによって、図４及び図５に示すように、液体排出部６０である第２電子部品５０の底面とベース１０の底面１６ａとの間の空隙（第１の空隙）を形成することができる。このように、本実施の形態における液体排出部６０は、ベース１０とコネクタ３０との間の空隙（開口部１５）、第２電子部品５０の側壁とベース１０の側壁との間の空隙、第２電子部品５０の底面とベース１０の底面１６ａとの間の空隙が連通して形成される。このようにすることによって、第２電子部品５０とベース１０、コネクタ３０とベース１０との間の少なくとも一部に空隙を設けるだけで容易に液体排出部６０を設けることができる。
【００３２】
なお、第２の部屋１２に搭載される第２電子部品５０は、樹脂部材５１にターミナル５２、５７を内蔵したバスバーの凹部５３にコイルやコンデンサなどの回路素子５４が実装された入力保護回路である。この凹部５３は、図３などに示すように、回路素子５４が実装され、回路素子５４の端子５４ａとバスバーのターミナル５２とが電気的に接続された状態で防滴剤８０が充填される。この防滴剤８０は、上述の防滴剤８０と同じものであり、回路素子５４と端子５４ａとターミナル５２とを覆う程度に充填すると好ましい。このようにすることによって、必要な箇所だけに防滴剤８０を設けることができて好ましい。
【００３３】
また、樹脂部材５１に設けられる凹部５３は、一部に回路素子５４の形状に対応する載置部が形成されると共に、他の一部、より具体的には、回路素子５４の端子５４ａとバスバーのターミナル５２とを電気的に接続する接続部に対応する部位に貫通孔５３ａが形成される。このようにすることによって、バスバーのターミナル５２と凹部５３に実装された回路素子５４の端子５４ａとを電気的に接続しやすくすることができる。すなわち、バスバーのターミナル５２と凹部５３に実装された回路素子５４の端子５４ａとを貫通孔５３ａを利用して抵抗溶接することができる。
【００３４】
また、上述の環状突部５６は、バスバーにおけるベース１０と対向する面の貫通孔５３ａの周囲に形成されるものである。このようにすることによって、図４に示すように、凹部５３に防滴剤８０を充填する際に、環状突部５６と環状凹部１８とによって閉じた空間が形成され、防滴剤８０が液体排出部６０（第１の空隙）に流れ出すことを抑制することができる。
【００３５】
さらに、第２電子部品５０は、外部と電気的に接続するために、ベース１０及びカバー２０の少なくとも一方に接続されたコネクタ３０と電気的に接続されている。つまり、本実施の形態においては、第２電子部品５０の樹脂部材５１とコネクタ３０のハウジングが機械的に接続されると共に、第２電子部品５０のターミナル５２とコネクタ３０のターミナル３１が電気的に接続される。
【００３６】
そして、点消灯制御装置は、ベース１０及びカバー２０の少なくとも一方に被取付体への取付部（図示省略）を備え、液体排出部６０が地面方向になるように被取付体に対して取り付けられるようにする。すなわち、点消灯制御装置は、図４及び図５に示すように、ベース１０が地面方向になり、カバー２０が反対方向（天空方向）になるよう被取付体に取り付けられる。このようにすることによって、内部空間９０に浸入した液体を液体排出部６０から内部空間外に排出しやすくすることができる。
【００３７】
このような点消灯制御装置は、ベース１０とカバー２０とをボルトで固定しているのみなので、ベース１０とカバー２０との空隙などから内部空間９０に液体が浸入する可能性がある。しかし、回路素子４１、５４は防滴剤によって覆われているため、液体が浸入する程度では悪影響が生じる可能性は少ない。ただし、その液体が内部空間９０内、特に防滴剤８０上で留まってしまうと、回路素子４１、５４（第１電子部品４０、第２電子部品５０）に悪影響をおよぼす可能性がある。
【００３８】
しかしながら、本実施の形態においては、内部空間９０に液体が浸入したとしても、液体排出部６０によって液体を内部空間９０外に排出することができ、内部空間９０に液体が留まることを抑制できる。すなわち、ベース１０とカバー２０との空隙から浸入した液体は、第１の部屋１１に充填された防滴剤８０の表面から第２電子部品５０の表面に流れるなどして、第２電子部品５０の表面から液体排出部６０に流れ込んで外部に排出される可能性を高くすることができる。したがって、液体の浸入を防止するためにベース１０及びカバー２０にリブを設ける必要はなく、点消灯制御装置の体格の大型化を抑制しつつ、液体による悪影響を抑制することができる。
【００３９】
なお、本実施の形態においては、本発明の電子制御装置を放電灯の点消灯制御装置に適用した例を用いて説明したが、本発明はこれに限定されるものではない。本発明の電子制御装置は、防滴剤にて覆われた回路素子が実装された電子部品と、電子部品が搭載されたベースと、ベースと接続されたカバーと、電子部品と外部とを電気的に接続し、ベース及びカバーの少なくとも一方に接続されたコネクタと、ベースとカバーとコネクタとによって形成された電子部品を収納する内部空間に浸入した液体を内部空間外に排出する液体排出部とを備えるものであれば本発明の目的を達成できるものである。
【００４０】
また、本実施の形態においては、本発明の電子部品として第１電子部品４０と第２電子部品５０とが電気的に接続された例を用いて説明したが、本発明はこれに限定されるものではない。例えば、１つの電子部品であっても本発明の目的を達成できるものであり、また、３つ以上の電子部品であっても本発明の目的を達成できるものである。
【００４１】
また、本実施の形態においては、本発明の液体排出部としてベース１０とコネクタ３０との間の空隙（開口部１５）、第２電子部品５０の側壁とベース１０の側壁との間の空隙、第２電子部品５０の底面とベース１０の底面１６ａとの間の空隙が連通して形成される例を用いて説明したが、本発明はこれに限定されるものではない。内部空間９０に浸入した液体を内部空間９０外に排出することができるものであれば本発明の目的を達成できるものである。
【００４２】
また、本実施の形態においては、本発明のベースは、壁部によって第１の部屋と第２の部屋とに分割する例を用いて説明したが、本発明はこれに限定されるものではない。
【００４３】
また、本実施の形態においては、第２電子部品５０のベース１０と対向する面に環状突部５６を設け、ベース１０の底面１６ａに環状凹部１８を設ける例を用いて説明したが、本発明はこれに限定されるものではない。第２電子部品５０のベース１０と対向する面に環状突部５６を設け、ベース１０の底面１６ａは平坦にするようにしてもよい。また、第２電子部品５０のベース１０と対向する面は平坦面にし、ベース１０の底面１６ａに環状突部を設けるようにしてもよい。このようにすることによっても、第２電子部品５０の底面とベース１０の底面１６ａとの空隙を設けることができる。
【００４４】
ただし、本実施の形態で用いたように、第２電子部品５０のベース１０と対向する面に環状突部５６を設け、ベース１０の底面１６ａに環状凹部１８を設けることによって、ベース１０に第２電子部品５０を搭載する際に、環状突部５６が環状凹部１８に挿入されるので、ベース１０と第２電子部品５０とが位置ズレすることを抑制することができ好適である。
【図面の簡単な説明】
【００４５】
【図１】本発明の実施の形態における電子制御装置（点消灯制御装置）の第１電子部品を搭載した状態の概略構成を示す平面図である。
【図２】本発明の実施の形態における電子制御装置（点消灯制御装置）の第２電子部品を搭載した状態の概略構成を示す平面図である。
【図３】本発明の実施の形態における電子制御装置（点消灯制御装置）の防滴剤を充填した状態の概略構成を示す平面図である。
【図４】図３におけるIV−IV断面図である。
【図５】図３におけるV−V断面図である。
【符号の説明】
【００４６】
１０  ベース、１１  第１の部屋、１２  第２の部屋、１３  壁部、１４ａ〜１４ｃ  ネジ穴、１５  開口部、１６ａ  底面、１６ｂ  段差部、１７  ネジ穴、１８  環状凹部、１９  環状凹部、２０  カバー、３０  コネクタ、３１  ターミナル、４０  第１電子部品、４１  回路素子、４２  プリント基板、４３  リード、５０  第２電子部品、５１  樹脂部材、５２  ターミナル、５３  凹部、５３ａ  貫通孔、５４  回路素子、５４ａ  端子、５５  固定部、５６  環状突部、５７  ターミナル、６０  液体排出部、７０  トランス、７１  端子、８０  防滴剤、９０  内部空間
【図１】
2008117977.tif 000003
【図２】
2008117977.tif 000004
【図３】
2008117977.tif 000005
【図４】
2008117977.tif 000006
【図５】
2008117977.tif 000007